(57)【要約】【課題】足裏のツボや反射区を押圧刺激する着脱可能な多数の突起を備えた足裏押圧器であって、簡単な構造で、多数の押圧点を選択的に押圧刺激することができる足裏押圧器を提供する。【解決手段】足裏押圧器の押圧基板１００が、底板１０１と一枚の磁石吸着板１０２と複数の貫通孔１０５を形成した木製基板１０３とが積層され、複数の押圧突起１１０の突起部１１１の下部に磁石部１１２が固定されており、押圧突起１１０が木製基板１０３の複数の貫通孔１０５に選択的に挿入されて、押圧突起１１１の横方向の移動が抑止され、磁石部１１２が一枚の磁石吸着板１０２に吸着されて押圧突起１１０が縦方向に一時的に固定されて足裏の特定の押圧点を選択的に押圧刺激する。【選択図】図１
2018068716.tif 000002
【特許請求の範囲】
【請求項１】
足裏のツボや反射区を押圧刺激する着脱可能な多数の押圧突起を備えた足裏押圧器において、底板と一枚の磁石吸着板と複数の貫通孔を形成した木製基板とが積層されて右足用及び左足用の左右の押圧基板が形成されており、前記複数の貫通孔に選択的に挿入される複数の押圧突起には、それぞれ、その下部に前記一枚の磁石吸着板に吸着固定される磁石部が固定されており、前記押圧突起が前記木製基板の複数の貫通孔に選択的に挿入されて、前記押圧突起の横方向の移動が抑止され、前記磁石部が前記一枚の磁石吸着板に吸着されて前記押圧突起が縦方向に一時的に固定されて、足裏の特定の押圧点を選択的に押圧刺激することを特徴とする足裏押圧器。
【請求項２】
請求項１記載の足裏押圧器において、前記底板と前記一枚の磁石吸着板と複数の貫通孔を形成した前記木製基板とが積層された前記押圧基板の上面に、裏面に足裏の反射区が印刷された透明な反射区表示板が積層されて、四層構造に形成されており、前記反射区表示板には、前記反射区に対応した複数の押圧点に対応する複数の開孔が形成され、前記木製基板には、前記反射区表示板の前記開孔に対応した位置に前記複数の貫通孔が形成されており、前記反射区表示板の選択された前記開孔を介して、前記木製基板の前記貫通孔に挿入された前記押圧突起により、前記押圧突起が選択的に着脱自在に固定され、足裏の反射区内の押圧点を押圧刺激することを特徴とする足裏押圧器。
【請求項３】
請求項２記載の足裏押圧器において、前記底板の上面の形状と、前記木製基板の下面と上面の形状が、患者の足裏の三次元立体形状に対応した立体形状に形成されており、前記一枚の磁石吸着板と前記反射区表示板とが変形可能な柔軟な材料で形成されていて、前記押圧基板が四層に形成されると、前記押圧基板の上面は、患者の足裏の三次元の立体形状に適合する形状に形成されることを特徴とする足裏押圧器。
【請求項４】
請求項１乃至３のいずれかに記載の足裏押圧器において、前記右足用及び左足用の左右の押圧基板の側面が、それぞれ、側帯で覆われており、複数の固定鋲により、前記側帯が前記積層された押圧基板の側面に固定されており、前記複数の固定鋲のうち、それぞれ、一対の固定鋲により、前記左右の押圧基板を把持する左右の支え帯が固定されていることを特徴とする足裏押圧器。
【発明の詳細な説明】
【技術分野】
【０００１】
本発明は、足裏のツボや反射区を押圧刺激する着脱可能な多数の押圧突起を備えた足裏押圧器に関する。
【背景技術】
【０００２】
人体、特に足裏のツボを押圧刺激する健康器具として、様々な足裏指圧器が開発されている。そして、足裏に分布するツボや反射区を押圧刺激することにより、人体の特定領域のコリの解消や疲労回復を図る健康法が広く実施されている。
【０００３】
例えば、銭湯等に設置された合成樹脂で一体成型された足裏指圧器では、指圧部の位置が固定されていて、足の位置を調整して足裏の必要な部位を刺激する。
【０００４】
図１０は、特許文献１に記載された、底１に足裏のツボや反射区を押圧する多数の突起２を設けたスリッパやサンダル等の履物の特許発明を示している。特許文献１の場合、底１の素材は自由であり、裏面側を斜めにカットする点に特徴があるが、多数の突起２は、底１に一体的に固定されていて、底１に着脱自在ではなく、足裏のツボや反射区の必要箇所に突起２を選択して配置して押圧刺激することはできない。
【０００５】
図１１は、特許文献２の第１３図に記載された足裏反射区図の一例を示す図である。特許文献２に記載された体質改善促進装置では、スリッパの電極を特定の反射区と対応付けるように配置すれば、その反射区に含まれるつぼを電気や熱で刺激することができる。しかし、特許文献２の装置は、電流を通電し、低周波の電気刺激を与える体質改善装置であって、特定の反射区の特定のツボを選択して押圧するものではない。
【０００６】
非特許文献１には、反射療法とも呼ばれるリフレクソロジーについての解説が記載されている。アメリカ人医師であるウィリアム・フィッツジェラルト（１８７２年−１９４２年）が、手術中の患者が手足を押圧する行為を観察して、痛みを和らげる効果があることを発見し、「ゾーン・セラピー」という本を発表したこと、及び、アメリカの理学療養士であるユーニス・イングハムがゾーン・セラピーを発展させ、足の特定の部位（反射区）が身体の各部位に対応していることを突き止め、「フットチャート」（足裏反射区図）を作成したことが記載されている。
【０００７】
「反射区」は、東洋医学でいう「経路経穴」と同じものではないと言われている。「反射区」が“面”であるのに対して、「経路経穴」のツボが“点”で捉えられることも相違点の一つである。なお、足裏には、「湧泉」などの有名な「経路経穴」のツボがあることが知られているが、足裏の「反射区」は、６０〜７０あるとも言われていて、その数は、足裏の「経路経穴」のツボの数よりも多く、「反射区」内の押圧刺激を行う押圧刺激点の数はさらに多いものとなる。
【０００８】
図１２は、特許文献３の、スパイラルローレット部２１（軸部）と装着用リセス１２１により凸起状部材２をベース本体１２に着脱可能にしたマッサージ用具の説明図である。図１２のマッサージ用具では、凸起状部材２の軸部にスパイラルローレット部２１（らせん状の取り付け具）を形成し、らせん状の軸部をベース本体１２の装着用リセス１２１にねじ廻して固定する。特許文献３の着脱自在なスパイラルローレット部２１は、構造が複雑で製造が容易なものでは無く、凸起状部材２を更に小型化して、足裏内の多くの「反射区」に、更には、反射区内の複数の押圧刺激点に対応させ、着脱自在とすることは困難である。
【０００９】
図１３は、特許文献４の永久磁石材料と座金３により、指圧突体４を着脱可能にし、足裏のツボに指圧効果と磁気効果を与える靴用中敷１を示す図である。特許文献４には、磁力により指圧突体２を靴用中敷１に着脱可能にすることが開示されているが、図１３の指圧突体２は、指圧効果と磁気効果を与えるための永久磁石材料のみから構成されていて、加工が容易ではない。また、靴用中敷１の材料は、天然皮革などの柔らかい材料であるため、永久磁石材料の指圧突体２を着脱自在に、しかも固定するためには、座金３の周縁に突縁３ａを形成して靴用中敷１に固定し、指圧突体２が横移動しないようにする座金３の複雑な構造が必要であって、製造が容易とは言えない。
【００１０】
図１３の靴用中敷１の場合には、指圧突体２と突縁３ａを有する座金３を、更に小型化して、足裏内の多くの「反射区」、更には、反射区内の複数の押圧刺激点に対応させて多数の押圧突起を着脱自在にして、押圧刺激を行うことは困難である。
【先行技術文献】
【特許文献】
【００１１】
【特許文献１】特許第４２１７４４２号公報
【特許文献２】登録実用新案第３１４２８６５号公報
【特許文献３】登録実用新案第３０１３９１４号公報
【特許文献４】実公平５-１５２０４号公報
【非特許文献】
【００１２】
【非特許文献１】Ｗｉｋｉｐｅｄｉａ  リフレクソロジー  第１頁
【発明の概要】
【発明が解決しようとする課題】
【００１３】
本発明の足裏押圧器は、足裏のツボや反射区を押圧刺激する着脱可能な多数の突起を備えた足裏押圧器であって、従来の各問題点を解決し、簡単な構造で、多数の押圧刺激点を選択的に押圧刺激することができる足裏押圧器を提供することを目的とする。
【課題を解決するための手段】
【００１４】
本発明の足裏押圧器は、足裏のツボや反射区を押圧刺激する着脱可能な多数の押圧突起を備えた足裏押圧器であって、底板と一枚の磁石吸着板と複数の貫通孔を形成した木製基板とが積層されて右足用及び左足用の左右の押圧基板が形成されており、前記複数の貫通孔に選択的に挿入される複数の押圧突起には、それぞれ、その押圧突起の突起部の下部に前記一枚の磁石吸着板に吸着固定される磁石部が固定されており、前記押圧突起が前記木製基板の複数の貫通孔に選択的に挿入されて前記押圧突起の横方向の移動が抑止され、前記磁石部が前記一枚の磁石吸着板に吸着されて前記押圧突起が縦方向に一時的に固定され、足裏の特定の押圧刺激点を選択的に押圧刺激することが可能であることを最も大きな特徴とする。
【００１５】
また、本発明の足裏押圧器は、更に、前記底板と前記一枚の磁石吸着板と複数の貫通孔を形成した前記木製基板とが積層された前記押圧基板の上面に、裏面に足裏の反射区が印刷された透明な反射区表示板が積層されて、四層構造に形成されており、前記反射区表示板には、前記反射区に対応した複数の押圧点に対応する複数の開孔が形成され、前記木製基板には、前記反射区表示板の前記開孔に対応した位置に前記複数の貫通孔が形成されており、前記反射区表示板の前記開孔を選択して、前記木製基板の前記貫通孔に挿入された前記押圧突起により、前記押圧突起を選択的に着脱自在に固定して、足裏の反射区内の押圧刺激点を押圧刺激することを特徴とする。
【００１６】
また、本発明の足裏押圧器は、更に、前記底板の上面の形状と、前記木製基板の下面と上面の形状が、患者の足裏の三次元立体形状に対応した形状に形成されており、前記一枚の磁石吸着板と前記反射区表示板とが変形可能な柔軟な材料で形成されていて、前記押圧基板が三層あるいは四層に形成されると、前記押圧基板の上面は、患者の足裏の三次元立体形状に適合する形状に形成されることを特徴とする。
【００１７】
本発明の足裏押圧器は、更に、前記右足用及び左足用の左右の押圧基板の側面が、それぞれ、側帯で覆われており、複数の固定鋲により、前記側帯が前記積層された押圧基板の側面に固定されており、前記複数の固定鋲のうち、それぞれ、一対の固定鋲により、前記左右の押圧基板を把持する左右の支え帯が固定されていることを特徴とする。
【発明の効果】
【００１８】
本発明の足裏押圧器は、足裏のツボや反射区を押圧刺激する着脱可能な多数の押圧突起を備えた足裏押圧器において、一枚の磁石吸着板と複数の押圧突起の磁石部とによる簡単な構造により、多数の押圧突起を一時的に吸着固定して、足裏の特定の押圧点を選択的に押圧刺激することが可能であり、複数の押圧刺激点に対してより精緻な押圧刺激を行うことができる利点がある。
【図面の簡単な説明】
【００１９】
【図１】図１は本発明の足裏押圧器の構造を示す断面図である。（実施例１）
【図２】図２は本発明の足裏押圧器の三層の押圧基板の構造を示す斜視図である。（実施例１）
【図３】図３は本発明の足裏押圧器に用いる押圧突起の構造を示す断面図である。（実施例１〜３）
【図４】図４は本発明の足裏押圧器の左右の押圧基板と複数の押圧突起を示す斜視図である。（実施例１）
【図５】図５は本発明の足裏押圧器の左右の押圧基板に側帯と固定鋲と支え帯を追加した外観を示す斜視図である。（実施例１〜３）
【図６】図６は本発明の足裏押圧器の上面に反射区表示板を積層した構造を示す断面図である。（実施例２）
【図７】図７は本発明の足裏押圧器の上面に反射区表示板を積層した四層の押圧基板の構造を示す斜視図である。（実施例２）
【図８】図８は本発明の足裏押圧器が足裏の三次元立体形状に形成されている構造を示す断面図である。（実施例３）
【図９】図９は本発明の足裏押圧器が足裏の三次元立体形状に形成されている四層の構造を示す斜視図である。（実施例３）
【図１０】図１０は底に足裏のツボや反射区を押圧する多数の突起を設けたスリッパやサンダル等の履物の従来例の説明図である。
【図１１】図１１は足裏の反射区図の一例を示す従来例の説明図である。
【図１２】図１２はスパイラルローレット部（軸部）と装着用リセスにより凸起状部材を着脱可能にする従来例の説明図である。
【図１３】図１３は永久磁石材料と座金により、指圧突体を着脱可能にする従来例の説明図である。
【発明を実施するための形態】
【実施例１】
【００２０】
図１は本発明の実施例１の足裏押圧器の構造を示す断面図である。図１において、  １００は押圧基板、１０１は底板、１０２は磁石吸着板、１０３は木製基板、１０５は複数の貫通孔、１１０は押圧突起、１１１は突起部、１１２は磁石部を示している。
【００２１】
押圧基板１００は、底板１０１、磁石吸着板１０２、木製基板１０３の三層構造に形成される。木製基板１０３には、複数の貫通孔１０５が形成されており、各貫通孔１０５を選んで指圧突起１１０を挿入することにより、木製基板１０３の貫通孔１０５から指圧突起１１０の突起部１１１が突出し、貫通孔１０５の位置の足裏を選択的に押圧刺激することができる。
【００２２】
木製基板１０３に複数の貫通孔１０５を形成することは容易である。所定の太さのドリル等を用いて、軸方向に直線状の一定の内径の複数の貫通孔１０５を簡単に穿設することができる。また、指圧突起１１０の下部に磁石部１１２を設けることも容易である。押圧突起１１０の下部に市販の小型磁石を埋め込むか、あるいは、接着することにより、一定の外径の直線状の押圧突起１１０を容易に製造できる。
【００２３】
貫通孔１０５の内径を、押圧突起１１０の内径と同程度に穿設し、軸方向に直線状に形成すれば、押圧突起１１０は軸方向には極めて滑らかに上下に移動可能であり、また、押圧突起１１０の横方向の移動は、木製基板１０３の貫通孔１０５の内径と、押圧突起１１０の外径との誤差内の範囲で十分に抑止・固定することができる。
【００２４】
従来は、押圧突起１１０の突起部１１１に足裏を載せ、体重を掛けて押圧刺激を行う際に、突起部１１１の先端が足裏にくい込み、あるいは、押圧時の汗等により押圧部と足裏が密着して、押圧突起１１０が押圧基板１１０から簡単に離脱してしまうという問題点があった。本発明では、一枚の磁石吸着板１０２を設置して、押圧突起１１０の下部に設けた磁石部１１２との間の吸引力により離脱を防止するという簡単な構造により上記の問題点を解決することができる。
【００２５】
図２は本発明の実施例１の足裏押圧器の三層の押圧基板の構造を示す斜視図である。図２において、押圧基板１００は、底板１００と、一枚の磁石吸着板１０２と、複数の貫通孔１０５を設けた木製基板１０３とにより構成されている。磁石吸着板１０２は、磁石を吸引して固定する性質を有する板であり、鉄、ニッケル、コバルトなどの金属板、電磁鋼板、亜鉛メッキ鋼板（トタン板）、ニッケルメッキをした磁石吸着用鉄板、パーマロイ、フェライト板などの種々の吸着板を用いることが出来る。
【００２６】
図３は本発明の各実施例の足裏押圧器に用いる押圧突起の構造を示す断面図である。図３（ａ）は、突起部１１１を有する押圧突起１１０の底部に小型の磁石１１２を埋め込む例を示している。また、図３（ｂ）は、突起部１１１を有する押圧突起１１０の底部に小型の磁石１１２を接着する例を示している。押圧突起１１０の底部に埋め込む、あるいは、接着する小型の磁石としては、ネオジム磁石（ＮｄＦｅＢ）、フェライト磁石（Ｆｅｒｒｉｔｅ）、サマリウムコバルト磁石（ＳｍＣｏ）等、種々の磁石を用いることができる。
【００２７】
図４は本発明の実施例１の足裏押圧器の左右の押圧基板と複数の押圧突起を示す斜視図である。図４において、１００−Ｒは右足用の押圧基板、１００−Ｌは左足用の押圧基板を示している。右足用の押圧基板１００−Ｒの木製基板１０３の貫通孔１０５を選択して、複数の押圧突起１１０を挿入し、また、左足用の押圧基板１００−Ｌの木製基板１０３の貫通孔１０５を選択して、複数の押圧突起１１０を挿入すると、左右の足裏の異なる箇所を選択して押圧刺激することができる。
【００２８】
また、左右の押圧基板１００−Ｒ、１００−Ｌの異なる位置の貫通孔を選択して複数の押圧突起１１０を挿入すると、左右の足裏に対して異なるパターンの特定の押圧刺激点を押圧刺激することができる。
【００２９】
図５は本発明の足裏押圧器の左右の押圧基板に側帯１３０と固定鋲１４０と支え帯１５０を追加した外観を示す斜視図である。（実施例１〜３）  図５において、側帯１３０は、例えば、布等の材料を用いて、左右の押圧基板の側面を被覆する。側帯１３０は、複数の固定鋲１４０により、左右の押圧基板の側面に固定する。側帯１３０と固定鋲１４０により、左右の足裏押圧器をより堅固に製造することができ、また、側帯１３０の布等の絵柄を選択することにより、必要な装飾を施すことができる。
【００３０】
側帯１３０を固定する複数の固定鋲１４０を兼用して、支え帯１５０を支持固定することができる。左右の支え帯１５０は、左右の足裏押圧器を患者が把持して運ぶための支え帯１５０とすることもできるし、足裏を押圧刺激する際に、足の甲を支持固定するための支え帯１５０とすることもできる。また、支え帯１５０の絵柄を選択することにより、側帯１３０と同様に、左右の足裏押圧器に必要な装飾を施すことができる。
【実施例２】
【００３１】
図６は本発明の足裏押圧器の上面に,反射区表示板を積層した四層構造の足裏押圧器を示す断面図である。（実施例２）  図６において、１００、１０１〜１０３、１０５、１１０〜１１２は、実施例１の図１と同様であるので  説明を省略する。
【００３２】
上面の反射区表示板１０４には、その裏側に足裏を押圧刺激する際の足裏反射区が模式的に印刷されている。反射区表示板１０４は透明の材料で形成されており、表面から見て、裏面に印刷された足裏反射区を識別することができる。また、反射区表示板１０４には、各足裏反射区に対応して、一乃至複数の開孔１０６が形成されており、この開孔１０６の位置は、木製基板１０３の複数の貫通孔１０５の位置と対応しており、患者は、足裏反射区を確認しながら、開孔１０６を介して、貫通孔１０５内に、押圧突起１１０を挿入可能であって、足裏反射区に対応した位置の押圧刺激点に対して選択的に押圧刺激を行うことができる。
【００３３】
図７は本発明の足裏押圧器の上面に,反射区表示板を積層した四層の押圧基板の構造を示す斜視図である。（実施例２）  図７において、１００、１０１〜１０３、１０５は、実施例１の図２と同様であるので  説明を省略する。
【００３４】
上面の反射区表示板１０４には、その裏側に足裏を押圧刺激する際の足裏反射区１０７が模式的に印刷されている。反射区表示板１０４は透明の材料で形成されており、表面から見て、裏面に印刷された足裏反射区１０７を識別することができる。また、反射区表示板１０４には、足裏反射区１０７に対応して、１乃至複数の開孔１０６が形成されており、この開孔１０６の位置は、木製基板１０３の複数の貫通孔１０５の位置と対応している。
【００３５】
図７の底板１０１、磁石吸着板１０２、木製基板１０３、反射区表示板１０４は、四層に積層されて押圧基板１００となる。患者は、反射区表示板１０４の裏面に印刷された足裏反射区１０７を確認しながら、開孔１０６を介して、貫通孔１０５内に、押圧突起１１０を挿入可能であって、足裏反射区１０７に対応した位置の押圧刺激点に対して選択的に押圧刺激を行うことができる。
【００３６】
なお、実施例２についても、図５の実施例１の場合と同様に、本発明の足裏押圧器の左右の押圧基板１００−R、１００−Ｌに、側帯１３０と固定鋲１４０と支え帯１５０を設けることができる。
【実施例３】
【００３７】
図８は本発明の足裏押圧器が患者の足裏の三次元立体形状に形成されている構造を示す断面図である。（実施例３）  図８においては、本発明の足裏押圧器は、患者の足裏の足裏反射区により適合した配置の押圧刺激が可能である。
【００３８】
図８において、２００は立体基板、２０１は立体底板、２０２は可撓性磁石吸着板、２０３は立体木製基板、２０４は可撓性反射区表示板、２０５は貫通孔、２０６は開孔、２０７は足裏反射区、２０８は立体形状を示している。立体底板２０１の上面、立体木製基板２０３の下面及び上面、可撓性磁石吸着板２０２の下面及び上面、立体木製基板２０３の下面及び上面、及び、可撓性反射区表示板２０４の下面及び上面は、患者の足裏の三次元の立体形状２０８に形成されている。
【００３９】
立体木製基板２０３には、貫通孔１１０が形成されており、突起部１１１を有する押圧突起１１０を貫通孔１１０に挿入すると、押圧突起１１０の底部の磁石部１１２が可撓性磁石吸着板２０２に吸着固定され、複数の位置の押圧刺激点に対して選択的に押圧刺激を行うことができる。
【００４０】
図９は本発明の足裏押圧器が患者の足裏の三次元立体形状に形成されている構造を示す斜視図である。（実施例３）  図９の立体底板２０１の上面は、患者の足裏の三次元の立体形状２０８に形成されている。患者の足裏の形状を３Ｄスキャナーで計測して三次元データを取得して、その三次元データにより、ＸＹＺ軸の制御フライス盤等を用いて、立体底板２０１の上面を三次元の立体形状２０８に製造することができる。また、粘度等の可塑性材料に患者の足裏を押圧して固形化して、直接、立体底板２０１を製造することも可能である。
【００４１】
また、立体木製基板２０３の上面及び下面の立体形状２０８は、上記の３Ｄスキャナーで計測した足裏の三次元データ、あるいは、上記の可塑性材料に患者の足裏を押圧して固形化した立体底板２０１の上面を計測した三次元データを用いて、患者の足裏に対応した立体形状２０８に製造できる。
【００４２】
可撓性磁石吸着板２０２及び可撓性反射区表示板２０４は、可撓性材料を用いて形成することが出来る。立体底板２０１、可撓性磁石吸着板２０２、立体木製基板２０３及び可撓性反射区表示板２０４を積層して押圧すると、可撓性材料は、患者の足裏の立体形状２０８に追従し、押圧基板２００の最上面は、患者の足裏の立体形状２０８に適合する形状となる。  
【００４３】
患者は、足裏の形状に適合する三次元の立体形状２０８の可撓性反射区表示板２０４の裏面に印刷された足裏反射区２０７を確認しながら、可撓性反射区表示板２０４の開孔１０６を介して、立体木製基板２０３の複数の貫通孔１０５内に、押圧突起１１０を挿入可能であって、足裏反射区２０７に対応した位置の押圧刺激点に対して選択的に押圧刺激を行うことができる。
【００４４】
なお、実施例３についても、図５の実施例１の場合と同様に、本発明の足裏押圧器の左右の押圧基板１００−R、１００−Ｌに、側帯１３０と固定鋲１４０と支え帯１５０を設けることができる。
【産業上の利用可能性】
【００４５】
本発明の足裏押圧器は、足裏のツボや反射区を押圧刺激する着脱可能な多数の押圧突起を備えた足裏押圧器に適用可能であるが、足裏のツボ、あるいは、足裏の反射区を押圧刺激する専用の足裏押圧器、あるいは、足裏のツボと反射区とを押圧刺激する兼用の足裏押圧器にも適用可能である。
【００４６】
また、熱刺激、電気刺激、磁気刺激などの他の療法との兼用も可能である。更に、足裏押圧器に用いる押圧突起としては、足裏のツボを押圧刺激する押圧突起と反射区を押圧刺激する押圧突起の太さや長さを異なるように形成することも可能である。
【符号の説明】
【００４７】
１００  押圧基板
１００−R  右足用の押圧基板
１００−Ｌ  左足用の押圧基板
１０１  底板
１０２  磁石吸着板
１０３  木製基板
１０４  反射区表示板
１０５  複数の貫通孔
１０６  複数の開孔
１０７  足裏反射区
１１０  押圧突起
１１１  突起部
１１２  磁石部
１３０  側帯
１４０  固定鋲
１５０  支え帯
２００  立体基板
２０１  立体底板
２０２  可撓性磁石吸着板
２０３  立体木製基板
２０４  可撓性反射区表示板
２０５  複数の貫通孔
２０６  複数の開孔
２０７  足裏反射区
２０８  立体形状
【図１】
2018068716.tif 000003
【図２】
2018068716.tif 000004
【図３】
2018068716.tif 000005
【図４】
2018068716.tif 000006
【図５】
2018068716.tif 000007
【図６】
2018068716.tif 000008
【図７】
2018068716.tif 000009
【図８】
2018068716.tif 000010
【図９】
2018068716.tif 000011
【図１０】
2018068716.tif 000012
【図１１】
2018068716.tif 000013
【図１２】
2018068716.tif 000014
【図１３】
2018068716.tif 000015